(57)【要約】【課題】交流電圧のゼロクロス点に基づいて発熱体への通電を制御すること。【解決手段】プリンタでは、交流電圧から生成されるゼロクロス信号ＺＳのゼロクロスタイミングＺＴを検出し、ゼロクロスタイミングＺＴにおける内部信号ＮＳの状態に基づいて発熱体である定着ヒータを含む定着器に交流電圧を供給するか否かを制御する。このプリンタでは、内部信号ＮＳパターンを生成する際に、内部信号ＮＳの立ち上がりタイミングと立ち下がりタイミングの少なくとも一方が、ゼロクロスタイミングＺＴと異なるタイミングとなるようにする。これにより、ゼロクロスタイミングＺＴにおける内部信号ＮＳの状態が不確定となることが抑制され、定着器に交流電圧を供給するか否かを制御することができる。【選択図】図６
2015011152.tif 000002
【特許請求の範囲】
【請求項１】
交流電源に接続され、前記交流電源から出力される交流電圧の通電により発熱する発熱体と、
前記発熱体を前記交流電源に接続する通電路上に設けられ、前記発熱体への前記交流電圧の通電状態を切り替える発熱切替スイッチと、
前記交流電圧を検出する検出部と、
制御部と、
を備え、
前記制御部は、
前記検出部を用いて前記交流電圧のゼロクロス点を検出する検出処理と、
立ち上がりタイミングと立ち下がりタイミングの少なくとも一方が前記ゼロクロス点の検出されるゼロクロスタイミングと異なるタイミングに設定されたパルスを有する内部信号を生成する生成処理と、
前記パルスの立ち上がり期間に前記ゼロクロス点を検出した場合に、前記発熱切替スイッチを用いて前記発熱体を通電させ、前記パルスの立ち下がり期間に前記ゼロクロス点を検出した場合に、前記発熱切替スイッチを用いて前記発熱体への通電を遮断する通電処理と、
を実行する発熱装置。
【請求項２】
請求項１記載の発熱装置であって、
前記パルスの立ち上がり期間と立ち下がり期間の少なくとも一方は、前記ゼロクロス点が検出されてから次の前記ゼロクロス点が検出されるまでの検出周期と異なる、発熱装置。
【請求項３】
請求項２記載の発熱装置であって、
前記パルスの立ち上がり期間は、前記検出周期よりも長い、発熱装置。
【請求項４】
請求項１から請求項３のいずれか一項に記載の発熱装置であって、
前記パルスは、前記交流電圧が最大又は最小となるタイミングで立ち上がり、前記交流電圧が最大又は最小となるタイミングで立ち下がる、発熱装置。
【請求項５】
シート材に画像を形成する画像形成部と、
請求項１から請求項４のいずれか一項に記載の発熱装置により前記画像を前記シート材に定着させる定着器と、
を備える、画像形成装置。
【請求項６】
請求項５記載の画像形成装置であって、
前記画像形成部には、画像を形成可能な前記シート材の最大サイズが設定され、
前記制御部には、前記パルスの立ち上がり期間及び立ち下がり期間を決定するのに用いる基準期間が設定されており、
前記検出周期と前記基準期間との差分期間と、前記最大サイズの前記シート材に画像を定着させる最長定着期間を前記基準期間で除した期間数と、を積した積算期間は、前記検出期間よりも短い、画像形成装置。
【請求項７】
請求項５または請求項６に記載の画像形成装置であって、
前記画像形成部及び前記定着器に至る搬送経路に沿って前記シート材を搬送する搬送部と、
前記搬送部により前記定着器に搬送された前記シート材を検出するセンサと、
を備え、
前記制御部は、
前記シート材を前記搬送部に搬送させる搬送処理と、
前記センサの検出結果を取得する取得処理と、
を実行し、
前記取得処理によって、前記シート材が存在することを示す肯定検出結果が取得された場合に、前記通電処理を実行し、前記シート材が存在しないことを示す否定検出結果が取得された場合に、前記通電処理を停止して前記発熱体への通電を遮断し、
更に、
前記搬送処理を実行しており、且つ、前記通電処理を停止している場合に、前記内部信号を再生成する再生成処理、
を実行する、画像形成装置。
【請求項８】
請求項５から請求項７のいずれか一項に記載の画像形成装置であって、
前記検出部への前記交流電圧の通電状態を切り替える検出切替スイッチ、
を備え、
前記制御部は、
前記検出処理を実行する場合に、前記検出切替スイッチを用いて前記検出部を通電させ、前記検出処理の実行を待機する場合に、前記検出切替スイッチを用いて前記検出部への通電を遮断する切替処理、
を実行する、画像形成装置。
【発明の詳細な説明】
【技術分野】
【０００１】
本明細書に開示される発明は、発熱体への交流電圧の通電を制御する技術に関する。
【背景技術】
【０００２】
従来から、商用電源から供給される交流電圧により駆動する画像形成装置では、交流電圧のゼロクロス点が検出されるタイミングを基準として、通電信号を切り替え、ヒータへの通電を制御する技術が開示されている（例えば、特許文献１）。このような画像形成装置では、ノイズや消費電力等を抑制する目的で、ゼロクロス点が検出されるタイミングと、通電信号を切り替えるタイミングとを一致させることが望まれる。
【先行技術文献】
【特許文献】
【０００３】
【特許文献１】特開２０１２−２０８４５０号公報
【発明の概要】
【発明が解決しようとする課題】
【０００４】
ゼロクロス点が検出されるタイミングと、通電信号を切り替えるタイミングとを一致させるためには、ゼロクロス点が検出されたタイミングに通電信号を切り替えればよい。その為には、通電信号とは別に内部信号を生成し、この内部信号を通電信号に併せて切り替えておくことで、例えば、ゼロクロス点が検出されるタイミングにおいて、内部信号がオンであれば、通電信号をオンに切り替えることを識別することができる。また、内部信号がオフであれば、通電信号をオフに切り替えることを識別することができる。
【０００５】
この場合、内部信号は、ゼロクロス点が検出されるタイミングに応じて比較的短期間で切り替える必要がある。そして、内部信号が切り替わるタイミングが、ゼロクロス点が検出されるタイミングと重なってしまうと、通信信号を切り替える際に、内部信号の状態が不確定であることから、ヒータなどの発熱体に通電するか否かの制御が不安定となる問題が生じてしまう。
【０００６】
本明細書に開示される発明は、交流電圧のゼロクロス点に基づいて発熱体への通電を制御する技術を開示する。
【課題を解決するための手段】
【０００７】
本明細書によって開示される発熱装置は、交流電源に接続され、前記交流電源から出力される交流電圧の通電により発熱する発熱体と、前記発熱体を前記交流電源に接続する通電路上に設けられ、前記発熱体への前記交流電圧の通電状態を切り替える発熱切替スイッチと、前記交流電圧を検出する検出部と、制御部と、を備え、前記制御部は、前記検出部を用いて前記交流電圧のゼロクロス点を検出する検出処理と、立ち上がりタイミングと立ち下がりタイミングの少なくとも一方が前記ゼロクロス点の検出されるゼロクロスタイミングと異なるタイミングに設定されたパルスを有する内部信号を生成する生成処理と、前記パルスの立ち上がり期間に前記ゼロクロス点を検出した場合に、前記発熱切替スイッチを用いて前記発熱体を通電させ、前記パルスの立ち下がり期間に前記ゼロクロス点を検出した場合に、前記発熱切替スイッチを用いて前記発熱体への通電を遮断する通電処理と、を実行する構成を有する。
【０００８】
この発熱装置では、内部信号のパルスと交流電圧のゼロクロス点を用いて、発熱体に通電するか否かを決定しており、パルスの立ち上がりタイミングと立ち下がりタイミングの少なくとも一方が、ゼロクロス点のゼロクロスタイミングと等しくならないように設定されている。そのため、ゼロクロス点が検出された際に、パルスが立ち上がり、又は、立ち下がり、発熱体に通電するか否かの制御が不安定となることを抑制することができる。
【０００９】
また、上記の発熱装置では、前記パルスの立ち上がり期間と立ち下がり期間の少なくとも一方は、前記ゼロクロス点が検出されてから次の前記ゼロクロス点が検出されるまでの検出周期と異なる構成としても良い。
【００１０】
この発熱装置によれば、パルスの立ち上がり期間と立ち下がり期間の少なくとも一方が、ゼロクロス点の検出周期、つまり、交流電圧の半周期と異なる期間に設定されていることから、パルスの立ち上がりタイミングと立ち下がりタイミングの少なくとも一方を、ゼロクロスタイミングと異ならせることができる。
【００１１】
また、上記の発熱装置では、前記パルスの立ち上がり期間は、前記検出周期よりも長い構成としても良い。
【００１２】
この発熱装置によれば、パルスの立ち上がり期間が、ゼロクロス点の検出周期よりも長く設定されていることから、ゼロクロス点の検出周期よりも短く設定されている場合に比べて、当該パルスを用いて発熱体を発熱させやすい。
【００１３】
また、上記の発熱装置では、前記パルスは、前記交流電圧が最大又は最小となるタイミングで立ち上がり、前記交流電圧が最大又は最小となるタイミングで立ち下がる構成としても良い。
【００１４】
この発熱装置によれば、交流電圧が最大又は最小となるタイミング、すなわち、ゼロクロスタイミングと異なるタイミングにおいて、パルスが立ち上がり、又は、立ち下がるので、パルスの立ち上がりタイミングと立ち下がりタイミングの両方を、ゼロクロスタイミングと異ならせることができる。
【００１５】
本明細書に開示される発明は、上記の発熱装置を備えた画像形成装置にも具現化される。本明細書によって開示される画像形成装置は、シート材に画像を形成する画像形成部と、上記に記載の発熱装置により前記画像を前記シート材に定着させる定着器と、を備える。
【００１６】
この画像形成装置によれば、シート材に形成された画像を定着させる際に、発熱体に通電するか否かを制御することができる。
【００１７】
また、上記の画像形成装置では、前記画像形成部には、画像を形成可能な前記シート材の最大サイズが設定され、前記制御部には、前記パルスの立ち上がり期間及び立ち下がり期間を決定するのに用いる基準期間が設定されており、前記検出周期と前記基準期間との差分期間と、前記最大サイズの前記シート材に画像を定着させる最長定着期間を前記基準期間で除した期間数と、を積した積算期間は、前記検出期間よりも短い構成としても良い。
【００１８】
この画像形成装置によれば、画像形成部が画像を形成可能な１枚のシート材に画像を定着させる定着期間において、パルスの立ち上がりタイミングと立ち下がりタイミングの少なくとも一方がゼロクロスタイミングと等しくなる回数を１回以下に抑制することができ、発熱体に通電するか否かを制御できない事象の発生を抑制することができる。
【００１９】
また、上記の画像形成装置では、前記画像形成部及び前記定着器に至る搬送経路に沿って前記シート材を搬送する搬送部と、前記搬送部により前記定着器に搬送された前記シート材を検出するセンサと、を備え、前記制御部は、前記シート材を前記搬送部に搬送させる搬送処理と、前記センサの検出結果を取得する取得処理と、を実行し、前記取得処理によって、前記シート材が存在することを示す肯定検出結果が取得された場合に、前記通電処理を実行し、前記シート材が存在しないことを示す否定検出結果が取得された場合に、前記通電処理を停止して前記発熱体への通電を遮断し、更に、前記搬送処理を実行しており、且つ、前記通電処理を停止している場合に、前記内部信号を再生成する再生成処理、を実行する構成としても良い。
【００２０】
例えば、複数のシート材を連続して搬送して、これら複数のシート材に画像が形成される場合、干渉防止のためにシート材間に設けられた干渉区間が定着器に到達することがある。この場合、シート材の搬送は継続されるが、消費電力の抑制のため、発熱体への交流電圧の通電が遮断される。この画像形成装置では、上記の場合に、内部信号を再生成する。これによって、装置内の温度や湿度などの環境条件の変化に応じて生成された内部信号を用いて、発熱体への通電を制御することができる。
【００２１】
また、上記の画像形成装置では、前記検出部への前記交流電圧の通電状態を切り替える検出切替スイッチ、を備え、前記制御部は、前記検出処理を実行する場合に、前記検出切替スイッチを用いて前記検出部を通電させ、前記検出処理の実行を待機する場合に、前記検出切替スイッチを用いて前記検出部への通電を遮断する切替処理、を実行する構成としても良い。
【００２２】
この画像形成装置によれば、検出処理の待機期間に亘って、検出部への交流電圧の通電が遮断され、当該期間における電力の消費を抑制することができる。
【発明の効果】
【００２３】
本明細書に開示される発明によれば、交流電圧のゼロクロス点に基づいて発熱体への通電を制御することができる。
【図面の簡単な説明】
【００２４】
【図１】プリンタの断面図
【図２】実施形態１、２の電圧供給回路のブロック図
【図３】遮断スイッチの回路図
【図４】実施形態１のゼロクロス検出回路の回路図
【図５】実施形態１の画像形成処理を示すフローチャート
【図６】実施形態１における内部信号とゼロクロス信号のタイムチャート
【図７】最長定着期間、期間数、及び、積算期間を示すタイムチャート
【図８】実施形態２のゼロクロス検出回路の回路図
【図９】実施形態２の画像形成処理を示すフローチャート
【図１０】実施形態３の電圧供給回路のブロック図
【図１１】実施形態３の画像形成処理を示すフローチャート
【図１２】実施形態３における内部信号とゼロクロス信号のタイムチャート
【発明を実施するための形態】
【００２５】
＜実施形態１＞
実施形態１を、図１から図７を用いて説明する。
【００２６】
１．プリンタの機械的構成
プリンタ１０は、画像を形成する直接転写方式のレーザプリンタであり、ケーシング１２内に構成されている。プリンタ１０は、画像形成装置の一例である。
【００２７】
ケーシング１２の内底部には供給トレイ１４が設けられており、供給トレイ１４に、用紙等のシート材１６が積載されている。シート材１６は、ユーザによって供給トレイ１４に供給され、ケーシング１２内に格納されると、押圧板１８によってピックアップローラ２０に押圧される。シート材１６は、ピックアップローラ２０の回転によって、搬送ローラ２２及びレジストローラ２４に搬送される。シート材１６は、レジストローラ２４によって斜行補正が行われた後に、画像形成部３０及び画像形成ユニット４０へと搬送される。画像形成部３０と画像形成ユニット４０とを併せたものが、画像形成部の一例である。
【００２８】
第１センサ２５は、画像形成部３０及び画像形成ユニット４０へと搬送されるシート材１６の有無を検出し、画像形成部３０及び画像形成ユニット４０にシート材１６が搬送される場合にオンし、搬送されない場合にオフする。画像形成部３０は、一対の支持ローラ３２、３４と、ベルト３６と、転写ローラ３７を含む。ベルト３６は、支持ローラ３２、３４の間に架設されており、リング状をしている。転写ローラ３７は、リング状のベルト３６内部に等間隔に配置されている。支持ローラ３２、３４はそれぞれ図示されていないモータによって反時計回りに回転し、それに伴ってベルト３６が移動する。第１センサ２５は、センサの一例である。
【００２９】
ベルト３６の上側には、画像形成ユニット４０が設けられている。画像形成ユニット４０は、スキャナ部４２とプロセス部４４を含む。スキャナ部４２は、プロセス部４４の感光ドラム４８の上部に配置されており、後述する中央処理装置（図２参照、以下、ＣＰＵ）６２によってＲＡＭやＲＯＭ等のメモリ６４（図２参照）から送られる画像データに基づき、プロセス部４４の感光ドラム４８にレーザ光Ｌを照射する。
【００３０】
プロセス部４４は、感光ドラム４８、現像カートリッジ４６等を含む。現像カートリッジ４６内にはトナーが充填されている。感光ドラム４８の表面には、スキャナ部４２から照射されるレーザ光Ｌによって、形成すべき画像に対応した静電潜像が形成される。そして、静電潜像に現像カートリッジ４６のトナーが供給されることで、感光ドラム４８の表面にトナー像が形成される。
【００３１】
感光ドラム４８の表面に形成されたトナー像がベルト３６との転写位置Ｐ１を通過する際、感光ドラム４８上のトナー像が、同じく転写位置Ｐ１を通過するシート材１６上に転写される。この結果、シート材１６上に画像が形成される。画像が形成されたシート材１６は、ベルト３６によって定着器５２に送られる。
【００３２】
第２センサ２７は、定着器５２に送られるシート材１６の有無を検出し、定着器５２にシート材１６が存在する場合にオンし、定着器５２にシート材１６が存在しない場合にオフする。定着器５２は、当該画像を加熱定着させるための定着ヒータ５４、定着ローラ２８、及び、温度計５７を含む。定着ヒータ５４は、電圧供給回路５６を介して交流電源５０（図２参照）から交流電圧が供給されることで発熱し、シート材１６上に形成された画像をシート材１６に定着する。温度計５７は、定着ヒータ５４の温度を検出する。また、定着ヒータ５４は、発熱体の一例であり、定着ヒータ５４と電圧供給回路５６とを併せたものが、発熱装置の一例である。
【００３３】
その後、シート材１６は、搬送ローラ２６によりケーシング１２の上部に設けられた排紙トレイ３８へと搬送される。つまり、ピックアップローラ２０や搬送ローラ２２等の各種ローラによって、画像形成部３０、画像形成ユニット４０、及び、定着器５２に至る搬送経路４７に沿ってシート材１６を搬送する搬送部５８が形成されている。
【００３４】
２．電圧供給回路の回路構成
図２に示すように、電圧供給回路５６は、制御回路６０と、遮断スイッチ７２と、ゼロクロス検出回路７４と、スイッチング電源回路７８と、を備える。
【００３５】
電圧供給回路５６では、ゼロクロス検出回路７４と、スイッチング電源回路７８とが交流電源５０に対して並列に接続されており、更に、遮断スイッチ７２を介して定着ヒータ５４が、これらの回路に対して並列に接続されている。
【００３６】
スイッチング電源回路７８は、交流電源５０から供給される交流電圧を直流電圧に変換し、制御回路６０等に供給する。制御回路６０は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）６６と、メモリ６４とを含む。ＡＳＩＣ６６は、ＣＰＵ６２を含む他、内部クロック発生回路６３等の専用のハード回路を含む。メモリ６４には、プリンタ１０の動作を制御するための各種のプログラムが記憶されており、ＣＰＵ６２は、メモリ６４から読み出したプログラムに従って各部を制御する。具体的には、ＣＰＵ６２は、内部クロック発生回路６３が生成した内部クロックＣＬ（図６参照）に基づいて内部信号ＮＳ（図６参照）を生成し、後述する画像形成処理を実行する。制御回路６０は、制御部の一例である。
【００３７】
遮断スイッチ７２は、交流電源５０から定着ヒータ５４に交流電圧を出力する電源ラインＤＬ上に設けられており、ＣＰＵ６２から入力される信号に基づいて定着ヒータ５４に交流電圧を供給するか否かを切り換える。詳細には、図３に示すように、遮断スイッチ７２は、フォトトライアックカプラであり、制御回路６０側に接続される発光素子であるフォトダイオード７２Ａと、定着ヒータ側に接続される受光素子であるフォトトライアック素子７２Ｂとを備える。電源ラインＤＬは、通電路の一例であり、遮断スイッチ７２は、発熱切替スイッチの一例である。
【００３８】
遮断スイッチ７２は、ＣＰＵ６２を介してゼロクロス検出回路７４にて検出されたゼロクロス信号ＺＳ（図６参照）が入力されることにより、ゼロクロス信号ＺＳのゼロクロスタイミングＺＴに同期して動作する、いわゆるゼロクロスタイプと称されるものである。具体的には、遮断スイッチ７２は、ＣＰＵ６２が生成した内部信号ＮＳに基づいてフォトダイオード７２Ａを発光させ、フォトダイオード７２Ａが発光している期間にゼロクロス信号ＺＳがゼロクロスタイミングＺＴとなると、ゼロクロスタイミングＺＴに同期して定着ヒータ５４に交流電圧を供給するオン状態となる。逆に、フォトダイオード７２Ａが発光していない期間にゼロクロス信号ＺＳがゼロクロスタイミングＺＴとなると、ゼロクロスタイミングＺＴに同期して定着ヒータ５４への交流電圧の供給を遮断するオフ状態となる。
【００３９】
図２に戻り、ゼロクロス検出回路７４は、電源ラインＤＬに出力された交流電圧を検出し、その絶対値が基準値ＫＶ１（図６参照）より大きくなる期間にオン電圧、その絶対値が基準値ＫＶ１以下となる期間にオフ電圧、となるゼロクロス信号ＺＳを発生させる。ゼロクロス検出回路７４は、検出部の一例である。
【００４０】
図４に示すように、ゼロクロス検出回路７４は、整流回路Ｗ１と、フォトカプラＰＣ１と、抵抗Ｒ１〜Ｒ３と、反転回路Ｈ１とを含む。整流回路Ｗ１は、交流電圧を全波整流するダイオードブリッジであり、交流電源５０に接続されている。整流回路Ｗ１によって全波整流された交流電圧は、フォトカプラＰＣ１に出力される。
【００４１】
フォトカプラＰＣ１は、フォトダイオードＤ１と、フォトトランジスタＱ１を含む。整流回路Ｗ１によって全波整流された交流電圧の電圧値が基準値ＫＶ１より大きな値となると、フォトダイオードＤ１に電流が流れてフォトダイオードＤ１が発光し、フォトトランジスタＱ１がオンする。一方、全波整流された交流電圧の電圧値が基準値ＫＶ１以下の値となると、フォトダイオードＤ１に電流が流れず、フォトトランジスタＱ１がオフする。つまり、フォトトランジスタＱ１は、全波整流された交流電圧の電圧値が基準値ＫＶ１より大きくなる期間にオンし、基準値ＫＶ１以下となる期間にオフする。
【００４２】
フォトカプラＰＣ１のフォトトランジスタＱ１がオンすると、抵抗Ｒ１〜Ｒ３及びフォトトランジスタＱ１を介して電流が流れ、抵抗Ｒ１と抵抗Ｒ２の間に配置された端子ＴＮ１の電圧値がオン電圧からオフ電圧に低下する。ＣＰＵ６２は、反転回路Ｈ１を介して端子ＴＮ１の電圧を検出する。反転回路Ｈ１では、端子ＴＮ１の電圧値がオン電圧からオフ電圧に低下した場合に、その出力電圧の電圧値がオフ電圧からオン電圧へと上昇する。一方、フォトトランジスタＱ１がオフすると、抵抗Ｒ１〜Ｒ３及びフォトトランジスタＱ１を介して電流が流れず、端子ＴＮ１の電圧値がオフ電圧からオン電圧に上昇し、反転回路Ｈ１からの出力電圧の電圧値がオン電圧からオフ電圧へと低下する。この結果、ＣＰＵ６２にゼロクロス信号ＺＳが検出される。
【００４３】
ＣＰＵ６２は、ゼロクロス信号ＺＳを検出すると、その電圧値がオフ電圧となる低電圧期間ＴＬを検出する。ＣＰＵ６２は、ゼロクロス信号ＺＳの低電圧期間ＴＬの中心タイミングを求め、当該タイミングを、交流電圧のゼロクロスタイミングＺＴとして検出する。
【００４４】
３．画像形成処理
次に、図５から図７を参照して、シート材１６に画像を形成する画像形成処理について説明する。ＣＰＵ６２は、使用者によりプリンタ１０の電源がオンされると、予め定められた規定期間毎に画像形成処理を実行し、当該処理において、定着ヒータ５４への通電を制御する処理を実行する。
【００４５】
図５に示すように、ＣＰＵ６２は、画像形成処理を開始すると、まず、交流電源５０から供給される交流電圧の周期を検出する（Ｓ２）。ＣＰＵ６２は、ゼロクロス検出回路７４を用いてゼロクロスタイミングＺＴを検出し、ゼロクロスタイミングＺＴの周期Ｔ０の２倍を、交流電圧の周期として検出する。周期Ｔ０は、検出周期の一例である。
【００４６】
次に、ＣＰＵ６２は、内部信号ＮＳのパルスパターンを決定するための基準周期Ｔ２を決定する（Ｓ４）。内部信号ＮＳは、遮断スイッチ７２のフォトダイオード７２Ａを発光させるオン電圧と、遮断スイッチ７２のフォトダイオード７２Ａを発光させないオフ電圧との間で切り替わる二値化信号である。ＣＰＵ６２は、内部信号ＮＳのパルスパターン、つまり、内部信号ＮＳがオン電圧となる立ち上がり期間、又は、内部信号ＮＳがオフ電圧となる立ち下がり期間を設定するのに用いる基準周期Ｔ２を決定する。基準周期Ｔ２は、基準期間の一例である。
【００４７】
具体的には、ＣＰＵ６２は、内部クロック発生回路６３から内部クロックＣＬの周期Ｔ１に関する情報を受け取り、内部クロックＣＬの周期Ｔ１をゼロクロスタイミングＺＴの周期Ｔ０と比較する。ＣＰＵ６２は、周期Ｔ１の整数Ｎ倍が周期Ｔ０の整数倍とならない整数Ｎを決定し、周期Ｔ１の整数Ｎ倍を基準周期Ｔ２として決定する。そのため、基準周期Ｔ２はゼロクロスタイミングＺＴの周期Ｔ０の整数倍と異なる期間に決定され、図６に示すように、基準周期Ｔ２の期間の始まりをゼロクロスタイミングＺＴに合わせた場合、その期間の終わりがゼロクロスタイミングＺＴと異なるタイミングとなる。
【００４８】
本実施形態では、図６に示すように、基準周期Ｔ２は、ゼロクロスタイミングＺＴの周期Ｔ０よりも長く、交流電圧の周期よりも短い期間に決定される。また、後述して説明するように、本実施形態では、定着ヒータ５４を高速で加熱する際に、内部信号ＮＳの立ち上がり期間を基準周期Ｔ２の３倍に設定することがある。また、定着ヒータ５４の温度が目標温度と近い場合など、定着ヒータ５４をゆっくりと加熱する際に、内部信号ＮＳの立ち下がり期間を基準周期Ｔ２の３倍に設定することがある。本実施形態では、これに起因して、基準周期Ｔ２の３倍が、ゼロクロスタイミングＺＴの周期Ｔ０の整数倍と異なる期間に決定されている。
【００４９】
更には、本実施形態では、基準周期Ｔ２は、画像形成ユニット４０が画像を形成可能なシート材１６の大きさに基づいて決定される。図７に示すように、画像形成ユニット４０では、例えばＡ３サイズなど、画像を形成可能なシート材１６の最大サイズが予め設定されており、定着器５２では、搬送部５８の搬送速度に基づいて、当該最大サイズのシート材１６に画像を定着させるために内部信号ＮＳを出力する必要がある最長定着期間ＳＴが決定される。本実施形態では、基準周期Ｔ２からゼロクロスタイミングＺＴの周期Ｔ０を差し引いた差分期間ΔＴ（式１参照）と、最長定着期間ＳＴを基準周期Ｔ２で除した期間数ＫＮ（式２参照）、つまり、最長定着期間ＳＴに含まれる基準周期Ｔ２の数を示す期間数ＫＮと、を積した積算期間ΣＴが、ゼロクロスタイミングＺＴの周期Ｔ０よりも短くなるように決定される（式３参照）。
ΔＴ＝Ｔ２−Ｔ０・・・式１
ＫＮ＝ＳＴ／Ｔ２・・・式２
Ｔ０＞ΣＴ＝ΔＴ×ＫＮ・・・式３
【００５０】
ＣＰＵ６２は、内部信号ＮＳの基準周期Ｔ２を決定すると、使用者から印刷指令が入力されたか否かを判断する（Ｓ６）。ＣＰＵ６２は、印刷指令が入力されていないと判断した場合（Ｓ６：ＮＯ）、画像形成処理を終了する。
【００５１】
一方、ＣＰＵ６２は、使用者から印刷指令が入力されたと判断した場合（Ｓ６：ＹＥＳ）、内部クロック発生回路６３に内部クロックＣＬの出力を開始させ、ＣＰＵ６２の内部タイマーを始動する（Ｓ８）。続けて、ＣＰＵ６２は、搬送部５８に対してシート材１６の搬送を指示し（Ｓ１０）、第１センサ２５を用いてシート材１６の先端が第１センサ２５を通過したか否かを判断する（Ｓ１１）。シート材１６の先端が第１センサ２５を通過していないと判断する場合（Ｓ１１：ＮＯ）、ＣＰＵ６２は、再度、交流電圧の周期を検出し（Ｓ２０）、基準周期Ｔ２を決定する（Ｓ２２）。
【００５２】
例えば、画像形成部３０を用いてベルト３６上にテストパターンを形成させ、形成されたテストパターンをレジストセンサ２９に測定させる測定処理を実行する実行条件を、印刷指令が入力される前に満たしていた場合、ＣＰＵ６２は、シート材１６の搬送に先だって測定処理を実行する。測定処理が実行されている間は、シート材１６は搬送されないので、シート材１６の先端が第１センサ２５を通過していないと判断される（Ｓ１１：ＮＯ）。ＣＰＵ６２は、測定処理が実行されている間に、交流電圧が変動する可能性もあるので、交流電圧の周期を検出し（Ｓ２０）、基準周期Ｔ２を決定する（Ｓ２２）。
【００５３】
一方、シート材１６の先端が第１センサ２５を通過したと判断する場合（Ｓ１１：ＹＥＳ）、ＣＰＵ６２は、シート材１６が転写位置Ｐ１にまで搬送されたときに、シート材１６上にトナー像が形成されるよう画像形成部３０に対して画像形成を指示する（Ｓ１２）。
【００５４】
次に、ＣＰＵ６２は、温度計５７を用いて定着ヒータ５４の温度を検出し（Ｓ１４）、検出された定着ヒータ５４の検出温度を、画像をシート材１６に定着させるのに必要な定着ヒータ５４の温度である定着温度と比較する。そして、ＣＰＵ６２は、検出温度と定着温度との比較結果に基づいて内部信号ＮＳパターンを生成する（Ｓ１６）。
【００５５】
ＣＰＵ６２は、検出温度と定着温度との温度差が第１基準温度差よりも大きい場合、内部信号ＮＳのパルスパターンを、３つの基準周期Ｔ２で連続してオンした後に、１つの基準周期Ｔ２でオフし、４つの基準周期Ｔ２毎に繰り返すパターンに決定する。つまり、立ち上がり期間が３倍の基準周期Ｔ２であり、立ち下がり期間が基準周期Ｔ２である内部信号ＮＳパターンを生成する。この内部信号ＮＳパターンでは、立ち上がり期間が立ち下がり期間よりも長いことから、後述して説明するように、定着ヒータ５４に交流電圧を供給する時間を比較的長くすることができ、定着ヒータ５４を高速で加熱することができる。
【００５６】
一方、ＣＰＵ６２は、検出温度と定着温度との温度差が第１基準温度差以下であり、第１基準温度差よりも小さい第２基準温度差よりも大きい場合、図６に示すように、内部信号ＮＳのパルスパターンを、基準周期Ｔ２毎にオンとオフを繰り返すパターンに決定する。つまり、立ち上がり期間と立ち下がり期間が共に基準周期Ｔ２である内部信号ＮＳパターンを生成する。
【００５７】
更に、ＣＰＵ６２は、検出温度と定着温度との温度差が第２基準温度差以下である場合、内部信号ＮＳのパルスパターンを、１つの基準周期Ｔ２で連続してオンした後に、３つの基準周期Ｔ２でオフし、４つの基準周期Ｔ２毎に繰り返すパターンに決定する。つまり、立ち上がり期間が基準周期Ｔ２であり、立ち下がり期間が３倍の基準周期Ｔ２である内部信号ＮＳパターンを生成する。この内部信号ＮＳパターンでは、立ち下がり期間が立ち上がり期間よりも長いことから、後述して説明するように、定着ヒータ５４に交流電圧を供給する時間を比較的短くすることができ、定着ヒータ５４をゆっくりと加熱することができる。
【００５８】
次に、ＣＰＵ６２は、内部信号ＮＳの出力を開始する（Ｓ２４）。これにより、遮断スイッチ７２は、上述したように、内部信号ＮＳの立ち上がり期間にゼロクロス信号ＺＳがゼロクロスタイミングＺＴとなると、ゼロクロスタイミングＺＴに同期して定着ヒータ５４に交流電圧を供給し、或は、交流電圧が供給される状態を維持する。また、内部信号ＮＳの立ち下がり期間にゼロクロス信号ＺＳがゼロクロスタイミングＺＴとなると、ゼロクロスタイミングＺＴに同期して定着ヒータ５４への交流電圧の供給を遮断し、或は、交流電圧の供給が遮断された状態を維持する。つまり、ＣＰＵ６２は、交流電圧に基づいて定着ヒータ５４を波数制御する。
【００５９】
ＣＰＵ６２は、内部信号ＮＳの出力を開始すると、第２センサ２７を用いてシート材１６の後端が第２センサ２７を通過したか否かを判断する（Ｓ２６）。つまり、ＣＰＵ６２は、第２センサ２７が一度オンした後、更にオフするのを待機する（Ｓ２６：ＮＯ）。そして、第２センサ２７がオフすると（Ｓ２６：ＹＥＳ）、ＣＰＵ６２は、内部信号ＮＳの出力を停止し（Ｓ２８）、定着ヒータ５４への交流電圧の供給を遮断する。
【００６０】
ＣＰＵ６２は、シート材１６への画像形成を終了したかを判断する（Ｓ３０）。例えば、ＣＰＵ６２は、印刷指令として、複数枚のシート材１６への印刷指示が入力されたにも関わらず、まだ、１枚のシート材１６への画像形成しか終了していない場合、すなわち、印刷指令に従ったシート材１６への画像形成が終了していないと判断する場合（Ｓ３０：ＮＯ）、Ｓ１１に戻り、次のシート材１６への画像形成に備える。
【００６１】
ここで、複数枚のシート材１６が連続して搬送される場合には、シート材１６同士が重送されないように、先に搬送されるシート材１６と後に搬送されるシート材１６との間にに所定の間隔が設けられている。シート材１６の間隔では、第１センサ２５がオフしており、第１センサ２５がオフしている期間を利用して、Ｓ２０及びＳ２２の処理を実行する。例えば、シート材１６へのに画像形成中に測定条件を満たした場合、当該シート材１６への画像形成後、次のシート材１６の搬送を開始する前に測定処理を実行することがある。ＣＰＵ６２は、当該測定処理が実行されている間に、Ｓ２０及びＳ２２の処理を実行する。
【００６２】
一方、印刷指令に従ったシート材１６への画像形成が終了すると（Ｓ３０：ＹＥＳ）、ＣＰＵ６２は、画像形成部３０に対してトナー像の形成停止を指示し（Ｓ３６）、画像形成処理を終了する。
【００６３】
４．本実施形態の効果
（１）本実施形態のプリンタ１０では、定着ヒータ５４に交流電圧を供給するか否かを切り替える遮断スイッチ７２として、ゼロクロスタイプのフォトトライアックカプラを用いており、ゼロクロスタイミングＺＴにおける内部信号ＮＳの状態により、定着ヒータ５４に交流電圧を供給するか否かを切り替える。このプリンタ１０では、内部信号ＮＳの立ち上がりタイミングと、内部信号ＮＳの立ち下がりタイミングの少なくとも一方が、ゼロクロスタイミングＺＴと異なるタイミングに設定されている。従って、ゼロクロスタイミングＺＴにおける内部信号ＮＳの状態を明確とすることができ、定着ヒータ５４に交流電圧を供給するか否かの結果が変化することを抑制することができ、定着ヒータ５４の温度制御が不安定となることを抑制することができる。
【００６４】
（２）具体的には、内部信号ＮＳの立ち上がり期間、及び、立ち下がり期間を設定するのに用いる基準周期Ｔ２を、ゼロクロスタイミングＺＴの周期Ｔ０と異なる期間に設定する。そのため、例えば、内部信号ＮＳの立ち上がりタイミングをゼロクロスタイミングＺＴに合わせた場合、内部信号ＮＳの立ち下がりタイミングがゼロクロスタイミングＺＴと異なるタイミングに設定することができ、また、多くの場合、立ち上がりタイミングと立ち下がりタイミングの両方が、ゼロクロスタイミングＺＴと異なるタイミングに設定することができる。
【００６５】
（３）本実施形態のプリンタ１０では、基準周期Ｔ２がゼロクロスタイミングＺＴの周期Ｔ０よりも長くなるように設定されている。定着ヒータ５４の温度制御は、定着ヒータ５４の温度を定着温度にまで上昇させる制御であることから、定着ヒータ５４の温度を上昇させやすいほうが好ましい。このプリンタ１０では、基準周期Ｔ２がゼロクロスタイミングＺＴの周期Ｔ０よりも長くなるように設定されているので、基準周期Ｔ２がゼロクロスタイミングＺＴの周期Ｔ０よりも短く設定される場合に比べて、定着ヒータ５４の温度を上昇させやすい。
【００６６】
（４）更に、本実施形態のプリンタ１０では、基準周期Ｔ２が、画像形成ユニット４０が画像を形成可能な最大サイズのシート材１６に基づいて決定されている。具体的には、基準周期Ｔ２とゼロクロスタイミングＺＴの周期Ｔ０との差分期間ΔＴを、最大サイズのシート材１６における最長定着期間ＳＴに亘って積算したとしても、その積算期間ΣＴがゼロクロスタイミングＺＴの周期Ｔ０よりも短くなるように決定されている。そのため、シート材１６への画像の定着の最中において、内部信号ＮＳの立ち上がりタイミング、又は、立ち下がりタイミングがゼロクロスタイミングＺＴと等しくなる回数を１回以下に抑制することができ、定着ヒータ５４の温度制御が不安定となることを抑制することができる。
【００６７】
特に、図６に示すように、内部信号ＮＳの初めの立ち上がりタイミングをゼロクロスタイミングＺＴに合わせた場合、シート材１６への画像の定着が開始される前の定着ヒータ５４の加熱開始時点において、定着ヒータ５４の温度制御が不安定となることがある。しかし、シート材１６への画像の定着が開始された後において、内部信号ＮＳの立ち上がりタイミング、及び、立ち下がりタイミングがゼロクロスタイミングＺＴと等しくなることがない。そのため、シート材１６への画像の定着の最中に、定着ヒータ５４の温度制御が不安定となり、シート材１６に斑が生じることを抑制することができる。
【００６８】
（５）本実施形態のプリンタ１０では、シート材１６の搬送を開始させてから、シート材１６の搬送を停止させるまでの搬送期間において、定着ヒータ５４への交流電圧の供給が遮断されている場合に、内部信号ＮＳを再生成する。そのため、画像形成処理の初期に設定された内部信号ＮＳを使用し続ける場合に比べて、装置内の温度や湿度などの環境条件の変化に対応させて内部信号ＮＳを更新することができ、環境条件に対応させて定着ヒータ５４の温度を制御することができる。
【００６９】
＜実施形態２＞
実施形態２を、図８、図９を用いて説明する。本実施形態は、ゼロクロス検出回路７４の切替スイッチ７４Ａを用いてゼロクロス検出回路７４への交流電圧の供給を切り替える点で実施形態１と異なる。以下の説明では、実施形態１と同一の内容については重複した記載を省略する。
【００７０】
１．ゼロクロス検出回路の回路構成
図８に示すように、本実施形態のゼロクロス検出回路７４は、実施形態１に記載のゼロクロス検出回路７４に加え、切替スイッチ７４Ａを備える。切替スイッチ７４Ａは、検出切替スイッチの一例である。
【００７１】
切替スイッチ７４Ａは、フォトカプラＰＣ２と、抵抗Ｒ４と、トランジスタＴＲ１とを含む。フォトカプラＰＣ２は、フォトダイオードＤ２と、フォトトランジスタＱ２を含んでおり、フォトダイオードＤ２は抵抗Ｒ４を介してトランジスタＴＲ１に接続されている。また、フォトトランジスタＱ２は、整流回路Ｗ１によって全波整流された交流電圧が供給される閉回路上に設けられており、整流回路Ｗ１によって全波整流された交流電圧は、フォトトランジスタＱ２を介してフォトカプラＰＣ１のフォトダイオードＤ１に供給される。
【００７２】
ＣＰＵ６２は、トランジスタＴＲ１に制御信号ＳＳを出力する。ＣＰＵ６２から出力される制御信号ＳＳによって、トランジスタＴＲ１がオンすると、フォトダイオードＤ２に電流が流れてフォトダイオードＤ２が発光し、フォトトランジスタＱ２がオンする。一方、ＣＰＵ６２から出力される制御信号ＳＳによってトランジスタＴＲ１がオフすると、フォトダイオードＤ２に電流が流れず、フォトトランジスタＱ２がオフする。
【００７３】
フォトカプラＰＣ２のフォトトランジスタＱ２がオンすると、フォトトランジスタＱ２を介して整流回路Ｗ１によって全波整流された交流電圧がフォトカプラＰＣ１に供給され、ＣＰＵ６２にゼロクロス信号ＺＳが検出される。一方、フォトカプラＰＣ２のフォトトランジスタＱ２がオフすると、整流回路Ｗ１によって全波整流された交流電圧のフォトカプラＰＣ１への供給が遮断され、ＣＰＵ６２にゼロクロス信号ＺＳが検出されない。つまり、切替スイッチ７４Ａは、ＣＰＵ６２から出力される制御信号ＳＳによって、ゼロクロス検出回路７４への交流電圧の供給を切り替える。
【００７４】
２．画像形成処理
ＣＰＵ６２は、画像形成処理を開始すると、図９に示すように、トランジスタＴＲ１に制御信号ＳＳの出力を開始し（Ｓ４２）、図８に示す切替スイッチ７４ＡのトランジスタＴＲ１に対して、トランジスタＴＲ１をオンするオン電圧を出力する。これにより、ゼロクロス検出回路７４への交流電圧の供給が開始されると、ＣＰＵ６２は、ゼロクロス検出回路７４を用いてゼロクロスタイミングＺＴを検出し、交流電圧の周期を検出する（Ｓ２）。また、ＣＰＵ６２は、検出された交流電圧の周期から内部信号ＮＳの基準周期Ｔ２を決定する（Ｓ４）。
【００７５】
ＣＰＵ６２は、交流電圧の周期を検出し、内部信号ＮＳの基準周期Ｔ２を決定すると、交流電圧の周期の検出を待機する待機状態に移行し、トランジスタＴＲ１への制御信号ＳＳの出力を停止する（Ｓ４４）。つまり、ＣＰＵ６２は、切替スイッチ７４ＡのトランジスタＴＲ１に対して、トランジスタＴＲ１をオフするオフ電圧を出力する。これにより、ゼロクロス検出回路７４への交流電圧の供給が遮断される。
【００７６】
つまり、ＣＰＵ６２は、交流電圧の周期を検出するに先立って、トランジスタＴＲ１に制御信号ＳＳの出力を開始し、交流電圧の周期の検出が終了すると、トランジスタＴＲ１への制御信号ＳＳの出力を停止する。ＣＰＵ６２は、交流電圧の周期を検出する度に、トランジスタＴＲ１への制御信号ＳＳの出力の切り替えを繰り返す。
【００７７】
３．本実施形態の効果
本実施形態のプリンタ１０では、交流電圧の周期の検出を待機する待機状態において、ゼロクロス検出回路７４への交流電圧の供給を遮断するので、待機状態におけるゼロクロス検出回路７４での電力消費が抑制することができる。
【００７８】
＜実施形態３＞
実施形態３を、図１０から図１２を用いて説明する。本実施形態は、ピーク検出信号ＰＳに基づいて内部信号パターンを生成する点で実施形態１と異なる。以下の説明では、実施形態１と同一の内容については重複した記載を省略する。
【００７９】
１．電圧供給回路の回路構成
図１０に示すように、本実施形態の電圧供給回路５６は、実施形態１に記載の電圧供給回路５６に加え、ピーク検出回路７６を備える。電圧供給回路５６において、ピーク検出回路７６と、遮断スイッチ７２を介した定着ヒータ５４とが交流電源５０に対して並列に接続されている。
【００８０】
ピーク検出回路７６は、電源ラインＤＬに出力された交流電圧を検出し、その絶対値が基準値ＫＶ１よりも大きい値に設定された基準値ＫＶ２（図１２参照）より大きくなる期間にオフ電圧、その絶対値が基準値ＫＶ２以下となる期間にオン電圧、となるピーク検出信号ＰＳを発生させる（図１２参照）。
【００８１】
ピーク検出回路７６は、図４に示すゼロクロス検出回路７４から、反転回路Ｈ１を除いた構成であり、回路図による図示を省略する。ピーク検出回路７６は、ゼロクロス検出回路７４に比べて、フォトトランジスタＱ１に直列に接続された抵抗Ｒ１〜Ｒ３の抵抗値が異なる値に設定されている。この結果、ＣＰＵ６２は、全波整流された交流電圧の電圧値が、基準値ＫＶ１と異なる基準値ＫＶ２より大きくなる期間にオフ電圧へと低下し、基準値ＫＶ１と異なる基準値ＫＶ２以下となる期間にオン電圧へと上昇するピーク検出信号ＰＳを検出する。
【００８２】
ＣＰＵ６２は、ピーク検出信号ＰＳを検出すると、その電圧値がオフ電圧となる低電圧期間ＴＬを検出する。ＣＰＵ６２は、ピーク検出信号ＰＳの低電圧期間ＴＬの中心タイミングを求め、当該タイミングを、交流電圧のピークタイミングＰＴとして検出する。
【００８３】
２．画像形成処理
ＣＰＵ６２は、画像形成処理を開始すると、図１１に示すように、ゼロクロス検出回路７４を用いてゼロクロス信号ＺＳを検出し、ゼロクロスタイミングＺＴを検出する（Ｓ５２）。次に、ＣＰＵ６２は、内部信号ＮＳの基準周期Ｔ２を決定する（Ｓ５４）。ＣＰＵ６２は、ピーク検出回路７６を用いてピークタイミングＰＴを検出し、ピークタイミングＰＴの周期Ｔ０を基準周期として決定する。
【００８４】
ＣＰＵ６２は、使用者から印刷指令が入力された場合（Ｓ６：ＹＥＳ）、上記所定の処理を実行した後に、内部信号ＮＳパターンを生成する（Ｓ５６）。ＣＰＵ６２は、内部信号ＮＳパターンを生成する際に、ピークタイミングＰＴに基づいて内部信号ＮＳパターンを生成する。具体的には、図１２に示すように、立ち上がり期間、及び、立ち下がり期間が周期Ｔ０の整数倍となり、その立ち上がりタイミング、及び、立ち下がりタイミングがピークタイミングＰＴとなる内部信号ＮＳパターンを生成する。そして、ＣＰＵ６２は、当該内部信号ＮＳパターンの内部信号ＮＳを用いて、定着ヒータ５４への交流電圧の供給を制御する（Ｓ２４〜Ｓ２８）。
【００８５】
３．本実施形態の効果
本実施形態のプリンタ１０では、内部信号ＮＳの立ち上がりタイミング、及び、立ち下がりタイミングが、ゼロクロスタイミングＺＴに対して、交流電圧の１／４周期、つまり、ゼロクロスタイミングＺＴの半周期異なるタイミングに設定されることから、ゼロクロスタイミングＺＴにおける内部信号ＮＳの状態を明確とすることができ、定着ヒータ５４に交流電圧を供給するか否かの結果が変化することを抑制することができる。これにより、定着ヒータ５４の温度制御が不安定となることを抑制することができる。
【００８６】
＜他の実施形態＞
本発明は上記記述及び図面によって説明した実施形態に限定されるものではなく、例えば次のような種々の態様も本発明の技術的範囲に含まれる。
（１）上記実施形態では、プリンタ機能を有する装置を用いて説明を行ったが、本発明はこれに限られない。本発明は、プリンタ機能に加えてスキャナ機能やファクシミリ機能などの機能も備える複合機であってもよい。また、必ずしもプリンタ機能を有していなくてもよい。本発明は、定着ヒータ５４などの発熱体への通電を制御しながら処理を行う装置に広く適用することができる。
【００８７】
（２）上記実施形態では、電圧供給回路５６の制御回路６０がＣＰＵ６２を有する及びＡＳＩＣ６６を有し、このＣＰＵ６２が必要に応じてＡＳＩＣ６６内のハード回路を用いて画像形成処理等の各種処理を実行する例を用いて説明を行ったが、本発明はこれに限られない。例えば、制御回路６０内において、ＣＰＵがＡＳＩＣとは別体として存在し、このＣＰＵにより各種処理が実行されてもよければ、ＡＳＩＣ内にＣＰＵが存在せず、ＡＳＩＣに設けられたハード回路により各種処理が実行されてもよい。さらには、単数又は複数のＣＰＵ、又は、単数又は複数のＡＳＩＣによって、各種処理を実行していても良い。
【００８８】
（３）また、ＣＰＵ６２が実行するプログラムは必ずしもメモリ６４に記憶されている必要はなく、ＡＳＩＣ６６内に記憶されていてもよければ、他の記憶装置に記憶されていても良い。
【００８９】
（４）上記実施形態１では、内部信号ＮＳの基準周期Ｔ２を決定する際に、画像形成ユニット４０が画像を形成可能な最大サイズのシート材１６に基づいて決定される例を用いて説明を行ったが、本発明はこれに限られない。例えば、Ａ４サイズなど、画像形成ユニット４０が画像を形成する頻度が最も高いことが予想される高頻度サイズが予め設定されている場合、高頻度サイズのシート材１６に基づいて決定されてもよい。更には、必ずしもシート材１６の大きさに基づいて決定されなくてもよい。
【００９０】
（５）上記実施形態１では、基準周期Ｔ２がゼロクロスタイミングＺＴの周期Ｔ０よりも長い期間に決定される例を用いて説明を行ったが、本発明はこれに限られず、ゼロクロスタイミングＺＴの周期Ｔ０よりも短い期間に決定されてもよい。
【００９１】
（６）更には、実施形態３と同様に、基準周期Ｔ２がゼロクロスタイミングＺＴの周期Ｔ０と等しく決定されてもよい。基準周期Ｔ２がゼロクロスタイミングＺＴの周期Ｔ０と等しく設定されていても、その立ち上がりタイミング、及び、立ち下がりタイミングが、ピークタイミングＰＴとゼロクロスタイミングＺＴとの中心タイミングなど、ゼロクロスタイミングＺＴと異なるタイミングに設定することができるのであれば、必ずしも基準周期Ｔ２がゼロクロスタイミングＺＴの周期Ｔ０と異なる期間に決定される必要がない。
【００９２】
（７）上記実施形態２、３では、画像形成処理において内部信号ＮＳが再生成がされない例を用いて説明を行ったが、実施形態１同様に、画像形成処理において内部信号ＮＳが再生成されてもよい。
【符号の説明】
【００９３】
１０：プリンタ、２５、２７：センサ、５２：定着器、５４：定着ヒータ、５６：電圧供給回路、５７：温度計、５８：搬送部、６０：制御回路、７２：遮断スイッチ、７４：ゼロクロス検出回路、７４Ａ：切替スイッチ、７６：ピーク検出回路、７８：スイッチング電源回路、ＣＬ：内部クロック、ＺＳ：ゼロクロス信号、ＺＴ：ゼロクロスタイミング、ＰＳ：ピーク検出信号、ＰＴ：ピークタイミング、ＮＳ：内部信号
【図１】
2015011152.tif 000003
【図２】
2015011152.tif 000004
【図３】
2015011152.tif 000005
【図４】
2015011152.tif 000006
【図５】
2015011152.tif 000007
【図６】
2015011152.tif 000008
【図７】
2015011152.tif 000009
【図８】
2015011152.tif 000010
【図９】
2015011152.tif 000011
【図１０】
2015011152.tif 000012
【図１１】
2015011152.tif 000013
【図１２】
2015011152.tif 000014